(57)【特許請求の範囲】
【請求項１】
波長が各々異なる複数の光信号から波長分割多重化された光信号を生成しこれを送信する多チャンネル光送信器において、
電気信号を電流増幅するレーザドライバアレイと、
前記ドライバアレイから出力された電流によって前記電気信号を光信号に変換する光源アレイと、
前記光源アレイから直接前記光信号を入射して該光信号を回折し、波長分割多重化する合波手段と、
前記合波手段における前記光信号の回折角度を任意に調整する回折角度調整手段と、
前記光学系から出射された光信号を光送信器の外部へと導く光ファイバと、
前記合波手段から出射された光信号を前記光ファイバに結合する光学系と、
電子部品台座と、
音響光学光偏向器台座とを具備し、
前記合波手段が、入射された前記波長が各々異なる複数の光信号を波長ごとに回折し、合波する音響光学光偏向器であり、
前記回折角度調整手段が、前記音響光学光偏向器に出力する高周波信号の周波数を調整可能に構成された周波数可変高周波発振器であり、
前記光源アレイが、レーザダイオードアレイであり、
前記音響光学光偏向器が、前記レーザダイオードアレイのレーザダイオードと同じ半導体材料を用いたものであり、
前記レーザダイオードと前記電子部品台座の固定と、前記音響光学光偏向器と前記音響光学光偏向器台座の固定が、同じ種類の接着剤を使っている
ことを特徴とする多チャンネル光送信器。
【発明の詳細な説明】
【技術分野】
【０００１】
本発明は、多チャンネル光送信器に関する。
【背景技術】
【０００２】
図５に、一般的に100GbE（ギガビットイーサネット（登録商標））に用いられている従来の多チャンネル光受信器の構成例を示す。図５に示すように、従来の多チャンネル光受信器100は、一つの第一の光ファイバ101、波長分割多重(wavelength division multiplexing：WDM)カプラ102、複数（図５では四つ）の第二の光ファイバ103a〜103d、複数（図５では四つ）の受信器光サブアッセンブリ(receiver optical sub-assembly：以下、ROSAという)104a〜104dを備えて構成されている。ここで、図５は４波長分割多重の例であり、WDMカプラ102は１入力と４出力のポートを有する。４波長は1290nm，1310nm，1330nm，1350nmの四つとし、WDMカプラ102の四つの出力ポートのうち、図５中、上から順に波長1290，1310，1330，1350nmに対応するものとする。以下、第二の光ファイバ103a〜103dを総称する場合は第二の光ファイバ103、ROSA104a〜104dを総称する場合はROSA104と呼称する。
【０００３】
第一の光ファイバ101はWDMカプラ102の入力ポートに接続され、第二の光ファイバ103a〜103dはそれぞれ一端がWDMカプラ102の出力ポートに接続される一方、他端がROSA104a〜104dに接続されている。
【０００４】
このような多チャンネル光受信器100において、波長分割多重光は光ファイバ101を介して多チャンネル光受信器100の内部へと導入され、次段のWDMカプラ102へと送られる。第二の光ファイバ103a，103b，103c，103dはそれぞれ波長1290nm，1310nm，1330nm，1350nmの光信号をROSA104a，104b，104c，104dに送り、ROSA104a，104b，104c，104dにおいて光信号が光電変換され、また電気増幅されて、多チャンネル光受信器100の外部へ出力される。
【０００５】
このように、光インタフェースの100GbEにおいては波長分割多重（WDM）が採用されており、100Gb/sの信号が4〜10の波長に分割多重されて送受信される。したがって、100GbEに採用される多チャンネル光受信器には、複数の波長の光信号の送受信を実現するために上述したWDMカプラ102や複数のROSA104が搭載されている。
【先行技術文献】
【非特許文献】
【０００６】
【非特許文献１】岩淵昌広  外２名、「ファイバ型WDMカプラ」、沖テクニカルレビュー、沖電気工業株式会社、2002年４月、第190号、Vol.69、No.2、88ページ
【発明の概要】
【発明が解決しようとする課題】
【０００７】
しかしながら、上述したような従来の多チャンネル光受信器100を100GbEシステムに適用する場合、図５に示すようにWDMカプラ102、ROSA104を用いる形態であることによって以下の１），２）に示す問題が生じている。
【０００８】
１）  寸法
ROSA104は通常5〜6mm程度の直径であり、従来の多チャンネル光受信器100を用いて光トランシーバや光トランスポンダを製作すると、装置が大型化してしまう。そのため、上述した従来の技術を用いる限り、将来においても劇的な小型化は困難であった。
さらに、WDMカプラ102とROSA104を接続する光ファイバ103は、折れやすい部品であり、また余長処理（組立の際に光ファイバ103を長めに準備しておき、余った部分を巻いたりすることによって長さの調整を行う作業）にもスペースを割く必要があった。
【０００９】
２）  組み立て時間
従来の多チャンネル光受信器100で使用されているROSA104の内部では、フォトダイオード（図示せず）と光ファイバ103とを光学的に結合させるため、一部人手による調整作業がなされている。この手間は長い時間を必要とし、ひいてはコスト増大を引き起こしている。
【００１０】
なお、従来の多チャンネル光送信器では、ROSAに代えて送信器光サブアッセンブリ(transmitter optical sub-assembly：以下、TOSAという)が用いられる。TOSAはレーザを内蔵する光送信モジュールであるが、送信と受信を読みかえれば、動作の原理も課題も多チャンネル光受信器とほぼ同様であるため、説明を割愛する。
【００１１】
以上のことから、本発明は小型かつ一体で、さらに組み立て時間を短縮することによって製造コストを低減することが可能な多チャンネル光送信器を提供することを目的とする。
【課題を解決するための手段】
【００１４】
第１の発明に係る多チャンネル光送信器は、波長が各々異なる複数の光信号から波長分割多重化された光信号を生成しこれを送信する多チャンネル光送信器において、電気信号を電流増幅するレーザドライバアレイと、前記ドライバアレイから出力された電流によって前記電気信号を光信号に変換する光源アレイと、前記光源アレイから直接前記光信号を入射して該光信号を回折し、波長分割多重化する合波手段と、前記合波手段における前記光信号の回折角度を任意に調整する回折角度調整手段と、前記光学系から出射された光信号を光送信器の外部へと導く光ファイバと、前記合波手段から出射された光信号を前記光ファイバに結合する光学系と、電子部品台座と、音響光学光偏向器台座とを具備し、前記合波手段が、入射された前記波長が各々異なる複数の光信号を波長ごとに回折し、合波する音響光学光偏向器であり、前記回折角度調整手段が、前記音響光学光偏向器に出力する高周波信号の周波数を調整可能に構成された周波数可変高周波発振器であり、前記光源アレイが、レーザダイオードアレイであり、前記音響光学光偏向器が、前記レーザダイオードアレイのレーザダイオードと同じ半導体材料を用いたものであり、前記レーザダイオードと前記電子部品台座の固定と、前記音響光学光偏向器と前記音響光学光偏向器台座の固定が、同じ種類の接着剤を使っていることを特徴とする。
【発明の効果】
【００１８】
第１の発明に係る多チャンネル光送信器によれば、波長が各々異なる複数の光信号から波長分割多重化された光信号を生成しこれを送信する多チャンネル光送信器において、電気信号を電流増幅するレーザドライバアレイと、光源アレイから出力された電流によって電気信号を光信号に変換する光源アレイと、光源アレイから直接光信号を入射して該光信号を回折し、波長分割多重化する合波手段と、合波手段における光信号の回折角度を任意に調整する回折角度調整手段と、光学系から出射された光信号を光送信器の外部へと導く光ファイバと、合波手段から出射された光信号を光ファイバに結合する光学系とを具備したので、WDMカプラが不要となって装置を小型化することが可能となり、且つ、分波手段による回折角度を回折角度調整手段によって調整することが可能となって、事前の精密なアライメントを行う必要がなくなり、製造工程が簡素化されて製造に掛かる時間が短縮され、製造コストが低減する。
【００１９】
また、第１の発明に係る多チャンネル光送信器によれば、合波手段が、入射された波長が各々異なる複数の光信号を波長ごとに回折し、合波する音響光学光偏向器であり、回折角度調整手段が、音響光学光偏向器に出力する高周波信号の周波数を調整可能に構成された周波数可変高周波発振器であるので、周波数可変高周波発振器から出力される高周波信号の周波数を調整することにより、容易に音響光学光偏向器における光信号の回折角度を高精度に制御することができる。
【００２０】
なお、本発明はLAN、WAN、メトロネットワーク、アクセスネットワークなどの通信事業に適用可能である。
【図面の簡単な説明】
【００２１】
【図１】本発明の第１の実施例に係る多チャンネル光受信器の概略構成図である。
【図２】本発明の第１の実施例に係る多チャンネル光受信器の内部構造を示す斜視図である。
【図３】本発明の第２の実施例に係る多チャンネル光送信器の概略構成図である。
【図４】本発明の第２の実施例に係る多チャンネル光送信器の内部構造を示す斜視図である。
【図５】従来の多チャンネル光受信器の概略構成図である。
【発明を実施するための形態】
【００２２】
以下、本発明に係る多チャンネル光受信器及び多チャンネル光送信器の実施形態について説明する。
【００２３】
本発明において多チャンネル光受信器は、波長分割多重化された光信号から波長ごとに光信号を分離するためのものであって、従来用いていたＷＤＭカプラに替えて音響光学光偏向器を用いて光の分波を行い、音響光学光偏向器からの出力光を直接光電変換素子（フォトダイオード）を搭載したフォトダイオードアレイに入力するものである。
【００２４】
また、本発明において多チャンネル光送信器は、波長が各々異なる複数の光信号から波長分割多重化された光信号を生成するためのものであって、従来用いていたＷＤＭカプラに替えて音響光学光偏向器を用いて光の合波を行い、発光／変調素子（半導体レーザ）を搭載した光源アレイからの入力光を直接音響光学光偏向器に入力するものである。
【００２５】
そして、音響光学光偏向器に波長可変高周波発振器を接続し、この波長可変高周波発振器から音響光学光偏向器に入力される高周波信号の周波数を調整することにより、音響光学光偏向器における光信号の回折角を制御するようにしている。
【００２６】
このような構成とすることにより、装置の小型化が可能であると同時に、事前に精密なアライメントを行う必要がなくなり、製造工程が簡素化されて製造に掛かる時間が短縮され、製造コストを低減することが可能となる。
【実施例１】
【００２７】
図１及び図２を用いて本発明に係る多チャンネル光受信器の一実施例を説明する。図１は本実施例に係る多チャンネル光受信器の概要を示す構成図、図２は本実施例に係る多チャンネル光受信器の内部構造を示す斜視図である。
【００２８】
図１に示すように、本実施例に係る多チャンネル光受信器１は、光ファイバ１１、光学系１２、音響光学偏向器１３、フォトダイオードアレイ（ＰＤアレイ）１４、トランスインピーダンスアンプアレイ（ＴＩＡアレイ）１５、高周波発振器１６を備えて構成されている。本実施例では、４波長の光信号が多重された系を考える。
【００２９】
より詳しくは、光ファイバ１１の出射端側であって４波長の光信号Ｃλ1〜Ｃλ4（以下、総称する場合は光信号Ｃλiという）が波長分割多重化されてなる受信光である光信号（以下、波長分割多重光という）Ｃ0の進行方向に沿うように、光学系１２、音響光学偏向器１３、フォトダイオードアレイ１４、トランスインピーダンスアンプアレイ１５が順に配設されている。そして音響光学偏向器１３に高周波発振器１６が接続されている。図１に示す例においては、光ファイバ１１には左から右へと波長分割多重光Ｃ0が伝搬している。
【００３０】
本実施例において、光ファイバ１１は多チャンネル光受信器１の内部に波長分割多重光Ｃ0を入力し、光学系１２は光ファイバ１１の出力端１１ａとフォトダイオードアレイ１４とを互いに結像する。また、音響光学偏向器１３は光学系１２を介して光ファイバ１１から入力された波長分割多重光Ｃ0を波長ごとに回折し、各光信号Ｃλiに分波する。フォトダイオードアレイ１４は音響光学偏向器１３から入力された各光信号Ｃλiを光電変換する。トランスインピーダンスアンプアレイ１５はフォトダイオードアレイ１４から入力された電気信号を増幅する。高周波発振器１６は音響光学偏向器１３へ高周波信号を出力する。
【００３１】
なお、トランスインピーダンスアンプアレイ１５は請求項１のプリアンプに相当する。当然、多重数以上のプリアンプのアレイである。
【００３２】
以下に、本実施例で音響光学偏向器１３と高周波発振器１６とを用いることにより、光ファイバ１１から出力される波長分割多重光Ｃ0を波長分離し、且つ各光信号Ｃλiを容易にフォトダイオードアレイ１４に結像し得る理由を説明する。
【００３３】
上述したように、本実施例において高周波発振器１６によって発生された高周波信号（周波数ｆ）は音響光学偏向器１３に入力されている。図１に波長分割多重光Ｃ0が回折、分波される様子を破線で示しているが、音響光学偏向器１３における０次光（波長分割多重光Ｃ0）と１次回折光（光信号Ｃλi）とがなす角度（回折角）θｉ（本実施例では、ｉ＝１，２，３，４。以下同様）は、下式（１）で表される。
θｉ＝λｉ・ｆ／Va                        （１）
【００３４】
ここで、λｉは光信号Ｃλiの真空中の波長、Vaは音響波速度である。以下、光信号Ｃλiのうち最も短波長の成分の真空中の波長をλ１とし、短波長側から順にλ２、λ３、λ４とする。
それぞれの波長λｉ間の差分をΔλとすると、式（１）から各光信号Ｃλiの回折角θｉの差分Δθは、下式（２）で表される。
Δθ＝Δλ・ｆ／Va                 （２）
【００３５】
式（２）からわかるように、周波数ｆと音響波速度Vaは波長λｉに依存しない定数であるため、各光信号Ｃλiは、それぞれ回折角θｉがΔθだけ異なる。以上のことから、本実施例では音響光学偏向器１３を用いて波長分割多重光Ｃ0を分波することができることがわかる。なお、多チャンネル光受信器１を製造する際は、あらかじめ１次回折光（各光信号Ｃλi）の回折角θｉのピッチとフォトダイオードアレイ１４のピッチとが概ね（音響光学偏向器１３によって調整することにより各光信号Ｃλiの回折角θｉのピッチとフォトダイオードアレイ１４のピッチとを一致させることができる程度）一致するように調整しておくものとする。
【００３６】
続いて、本実施例に係る多チャンネル光受信器１において、光ファイバ１１とフォトダイオードアレイ１４のアライメントを容易に行うことができる理由を説明する。本実施例は主に１次回折光（Ｃλi）の回折角θｉとフォトダイオードアレイ１４のピッチとが正確に対応していない場合に、特に有効である。
【００３７】
式（２）において、周波数ｆを人為的にΔｆ変化させ、周波数がｆ＋Δｆになったとすると、式（２）における回折角θｉの差分Δθ’は下式（３）のように変化する。
Δθ’＝Δλ・(ｆ＋Δｆ)／Va                     （３）
【００３８】
式（３）から、簡単な変化ではあるが、高周波発信器１６の周波数ｆをΔｆだけ変化させることで、回折角θｉの差分Δθ’を変化させ得ることが分かる。そのため、例えば光学系１２の位置が光進行方向にずれたことによって結像倍率が設定からはずれていたとしても、高周波発振器１６から出力する高周波信号の周波数ｆを調整することにより、アライメント修正を行うことなく、各回折光（Ｃλi）をフォトダイオードアレイ１４に正確に結像させることが可能となる。
【００３９】
次に図２を用いて、本実施例に係る多チャンネル光受信器の実際の構造について説明する。図２に示すように、実際の多チャンネル光受信器１’は、光ファイバ１１、レンズ１８、音響光学偏向器１３、フォトダイオードアレイ（ＰＤアレイ）１４、トランスインピーダンスアンプアレイ（ＴＩＡアレイ）１５、ファイバスリーブ１７、レンズホルダ１９、音響光学偏向器台座２０、電子部品台座２１、筐体２２を有している。なお、筐体２２の外に設置される高周波発振器は図示を省略した。
【００４０】
より詳しくは、光ファイバ１１が筐体２２の外部に固定される一方、筐体２２の内部に、光信号の進行方向に沿うように、レンズ１８、音響光学偏向器１３、フォトダイオードアレイ１４、トランスインピーダンスアンプアレイ１５が順に配設されている。
【００４１】
本実施例において、音響光学偏向器１３には、カルコゲナイトガラスのものを用いた。カルコゲナイトガラスはランダム偏光に対して、偏光に依存しない偏向作用があり、また性能指数も優れている。
【００４２】
また、ファイバスリーブ１７は光ファイバ１１と筐体２２を強固に固定する部品である。レンズホルダ１９はレンズ１８を、音響光学偏向器台座２０は音響光学偏向器１３を、電子部品台座２１はフォトダイオードアレイ１４とトランスインピーダンスアンプアレイ１５を、それぞれ筐体２２に固定するための部品である。
【００４３】
その他の構成は図１に示し上述したものと概ね同様であり、以下、図１に示し上述した部材と同様の作用を奏する部材には同一の符合を付し、重複する説明は省略する。
【００４４】
図２に示す多チャンネル光受信器１’の基本的な光信号の流れは、図１に示し上述した多チャンネル光受信器１における光信号の流れと同様である。すなわち、波長分割多重光は光ファイバ１１によって多チャンネル光受信器１’の内部へと入力される。そして、レンズ１８によって光ファイバ１１の出射端とフォトダイオードアレイ１４との間で結像光学系が形成されており、結像光学系途中に配置された音響光学偏向器１３と図示しない高周波発振器の作用により、波長分割多重されている各光信号がフォトダイオードアレイ１４に搭載された各フォトダイオード１４ａ〜１４ｄに入射し、光電変換される。このように構成されることにより、図２に示す多チャンネル光受信器１’によれば、各光部品間（例えば、レンズ１８とフォトダイオードアレイ１４との間）に多少のアライメントエラーがあっても、高周波発振器から出力される高周波信号の周波数ｆを微調整することで光学調整を行うことができる。
【００４５】
各光信号は、フォトダイオードアレイ１４で光電変換された後に、トランスインピーダンスアンプアレイ１５によって電気増幅され、電気信号として多チャンネル光受信器１’の外部へと出力される。
【００４６】
以上に示した多チャンネル光受信器１’によって、高速多チャンネルの光受信器モジュールを実現した結果、音響光学偏向器１３と高周波発振器の作用によって、アライメントプロセスが簡略化され、その所要時間も大幅に短縮された。チャンネルごとに25Gb/sの信号で、波長間隔をLAN-WDMの仕様に合わせて作製した多チャンネル光受信器は、延べ100Gb/sの光信号を良好に復調・復号することができた。本実施例は、850nm帯、C帯、S帯、L帯など広範な波長範囲に適用可能である。
【実施例２】
【００４７】
図３及び図４を用いて本発明に係る多チャンネル光送信器の一実施例を説明する。図３は本実施例に係る多チャンネル光送信器の概要を示す構成図、図４は本実施例に係る多チャンネル光送信器の内部構造を示す斜視図である。
【００４８】
図１に示すように、本実施例において多チャンネル光送信器２は、レーザダイオードドライバアレイ（ＬＤＤアレイ）２３、レーザダイオードアレイ（ＬＤアレイ）２４、音響光学偏向器１３、光学系１２、光ファイバ１１、高周波発振器１６を備えて構成されている。本実施例では、実施例１と同様に４波長の光信号（送信光）が多重される系を考える。
【００４９】
本実施例において、レーザダイオードドライバアレイ２３は電気信号を電流増幅し、レーザダイオードアレイ２４はレーザダイオードドライバアレイ２３から入力された電流によって電気信号を光信号Ｃλ1〜Ｃλ4（以下、総称する場合は光信号Ｃλiという）に変換する。光学系１２はレーザダイオードアレイ２４と光ファイバ１１とが概ね（音響光学偏向器１３によって調整することにより各光信号Ｃλiの回折角θｉのピッチとフォトダイオードアレイ１４のピッチとを一致させることができる程度）結像関係となるように配置されている。
【００５０】
その他の構成は送信と受信を読みかえれば実施例１において説明した構成と概ね同様であり、以下、図１，２に示し上述した部材と同様の作用を奏する部材には同一の符合を付して重複する説明は適宜省略する。
【００５１】
また、本実施例に係る多チャンネル光送信器２の動作についても実施例１において説明した多チャンネル光受信器１の動作と類似しているため、式を使った説明は省略し、図３に基づいて本実施例における光信号の流れについて説明する。
【００５２】
本実施例において、電気信号は、多チャンネル光送信器２の外部でシリアル・パラレル変換によって100Gb/sからチャンネル当たり25Gb/sに低ビットレートに変換されて多チャンネル光送信器２に入力され、レーザダイオードドライバアレイ２３によって増幅されて、レーザダイオードアレイ２４の各レーザダイオードへと印加される。増幅された電気信号が印加されたレーザダイオードは、電気信号を電気光変換し、それぞれのレーザダイオードが25Gb/sの光信号Ｃλiを送信する。
【００５３】
なお、本実施例ではレーザダイオードアレイ２４として直接変調型を用いる例を示すが、多チャンネル光送信器に適用するレーザダイオードアレイとしては、電解吸収型半導体光変調器とレーザダイオードが集積された外部変調レーザであってもかまわない。外部変調レーザの方は伝送ペナルティが小さく、長距離伝送に向いている。
【００５４】
また、レーザダイオードのチップはそれぞれ図３に破線で示した光路を進むように、相互に異なる角度で取り付ける。さらに、図３に示す例では、各レーザダイオード（1.3μm帯）は最も波長の長いチップが光信号Ｃλiの進行方向に対して右側に配置されており、左側に向かって20nmずつ短波長となるように順に配置されているものとする。各レーザダイオードから放射された光信号（最も光強度が強い方向に限る）Ｃλiは図３の破線に示すように進行する。すなわち、音響光学偏向器１３と高周波発振器１６の作用によって各光信号Ｃλiが回折され、合波された光信号（以下、波長分割多重光という）Ｃ1が光ファイバ１１と同軸上を図３中左へと進行して光ファイバ１１に入射する。
【００５５】
このような流れによって、波長分割多重光Ｃ1は光ファイバ１１を経て多チャンネル光送信器２の外部へと出力される。
【００５６】
このように、上述した本実施例に係る多チャンネル光送信器２においても、実施例１に示した多チャンネル光受信器１と同様に、多少の光学系１２の位置ずれがあっても高周波発振器１６の周波数ｆを微調整することで、事前に精密なアライメントを行うことなく、結合効率を改善することができる。
【００５７】
次に図４を用いて本実施例に係る多チャンネル光送信器２の実際の構造について説明する。図４に示すように、実際の多チャンネル光送信器２’は、レーザダイオードドライバアレイ（ＬＤＤアレイ）２３、光源アレイとしてのレーザダイオードアレイ（ＬＤアレイ）２４、音響光学偏向器１３、レンズ１８、光ファイバ１１、ファイバスリーブ１７、レンズホルダ１９、音響光学偏向器台座２０、電子部品台座２５、筐体２２を備えている。なお、筐体２２の外に設置される高周波発振器は図示を省略した。
【００５８】
本実施例では音響光学偏向器１３としてInPのものを用いた。このように、音響光学偏向器１３に後述するレーザダイオード２４ａ〜２４ｄの素材と同じ半導体材料を選ぶことによって、光部品（レーザダイオード２４ａ〜２４ｄと音響光学偏向器１３）と台座２５，２０の固定において、同じ種類の接着剤を使うことができる。これによってヒートサイクル起因の性能劣化の影響を小さくすることができる。
【００５９】
電子部品台座２５はレーザダイオードアレイ２４とレーザダイオードドライバアレイ２３を、それぞれ筐体２２に固定するための部品である。
【００６０】
その他の構成は図３に示し上述したものと概ね同様であり、以下、上述した部材と同様の作用を奏する部材については同一の符合を付して重複する説明は省略し、異なる構成を中心に説明する。
【００６１】
図４に示す多チャンネル光送信器２’において、送信信号はレーザダイオードドライバアレイ２３で増幅され、レーザダイオードアレイ２４で電気光変換される。結像光学系途中に配置した音響光学偏向器１３と図示しない高周波発振器の作用により、波長分割多重されたそれぞれ波長の異なる光信号は、回折によって合波され光ファイバ１１端へと入射する。これにより、上述したように各光部品間に多少のアライメントエラーがあったとしても、高周波発振器から出力される高周波信号の周波数ｆを調整することによって精密な光学調整を行うことが可能となる。
【００６２】
以上に示した多チャンネル光送信器２’を用いて高速多チャンネルの光送信器モジュールを実現した結果、音響光学偏向器１３と高周波発振器の作用によって、アライメントプロセスが簡略化され、その所要時間も大幅に短縮された。各チャンネルに25Gb/sの信号で、波長間隔をLAN-WDMの仕様に合わせて作製した多チャンネル光送信器は、良好に延べ100Gb/sの光信号を波長分割多重して送信することができた。
【００６３】
以上、実施例１及び実施例２において説明したように、本発明に係る多チャンネル光受信器および多チャンネル光送信器透明によれば、波長分割多重方式による高ビットレートの光送受信器を実現することができる。そして、光ファイバと光部品（フォトダイオードまたはレーザダイオード）の間に音響光学偏向器を配置するとともに、音響光学偏向器に周波数可変の高周波発振器を接続することによって事前の精密なアライメントが不要となり、その結果として製造プロセスの簡易化と時短を実現することができた。このようなプロセス条件によって、製造コストを低減することが可能となった。
【００６４】
さらに、従来の波長分割多重の光送受信器においては、おおむねWDMカプラが必要であったのに対して、本発明に係る多チャンネル光受信器及び多チャンネル光送信器においては、音響光学偏向器がアライメント機能の他、WDMフィルタの機能も実現しているためWDMカプラも不要となり、装置を小型化することが可能となる。
【産業上の利用可能性】
【００６５】
本発明はLAN、WAN、メトロネットワーク、アクセスネットワークなどの通信事業に用いられる多チャンネル光受信器及び多チャンネル光送信器に適用して好適なものである。
【符号の説明】
【００６６】
１１  光ファイバ
１２  光学系
１３  音響光学偏向器
１４  フォトダイオードアレイ
１４ａ〜４ｄ  フォトダイオード
１５  トランスインピーダンスアンプアレイ
１６  高周波発振器
１７  ファイバスリーブ
１８  レンズ
１９  レンズホルダ
２０  音響光学偏向器台座
２１，２５  電子部品台座
２２  筐体
２３  レーザダイオードドライバアレイ
２４  レーザダイオードアレイ
２４ａ〜２４ｄ  レーザダイオード
【図１】
0005406606.tif 000002
【図２】
0005406606.tif 000003
【図３】
0005406606.tif 000004
【図４】
0005406606.tif 000005
【図５】
0005406606.tif 000006